(57)【特許請求の範囲】
【請求項１】
第１の動作モードおよび第２の動作モードを含む、複数の動作モードの内の少なくとも１つで選択的に動作可能なデータ通信装置であって、該データ通信装置はターミナルおよび、第１の通信ネットワークおよび第２の通信ネットワークを含む、複数の通信ネットワークの内の通信ネットワークの間でデータを転送するために前記ターミナルにかつ前記複数の通信ネットワークの内の前記通信ネットワークに接続可能であり、前記データ通信装置は、
コントローラ、
該コントローラに結合されたデータポンプ、
該データポンプに結合された第１のコーデック、
第２のコーデック、
前記第１の通信ネットワークに接続可能な第１のインタフェース回路、
前記第２の通信ネットワークに接続可能な第２のインタフェース回路、
前記第１のコーデックに、前記第２のコーデックにかつ前記第１のインタフェース回路に結合された第１のスイッチ、そして
前記コントローラに、前記第２のコーデックに、前記第１のインタフェース回路に、前記第２のインタフェース回路に、そして前記第１のスイッチに結合されたプロセッサであって、該プロセッサは複数のコマンド信号の内の第１のコマンド信号に応答して前記第１の通信ネットワークを通しての通信のために前記第１の動作モードで動作するために前記データ通信装置を選択的に構築しかつ前記第２の通信ネットワークを通して通信するために前記第２の動作モードで動作するために前記データ通信装置を選択的に構築するもの、
を具備するデータ通信装置。
【請求項２】
前記第１のコーデックはさらにリニアコーデックからなる、請求項１に記載のデータ通信装置。
【請求項３】
前記第２のコーデックはさらにノンリニアコーデックからなる、請求項１に記載のデータ通信装置。
【請求項４】
前記第２のコーデックはさらにミュー−ローＰＣＭコーデックからなる、請求項１に記載のデータ通信装置。
【請求項５】
さらに、
前記第１の通信ネットワークは公衆交換電話ネットワークであり、前記第２の通信ネットワークはデジタル通信ネットワークであり、前記第１のインタフェース回路はアナログインタフェース回路であり、前記第２のインタフェース回路はデジタルインタフェース回路であり、そして
前記プロセッサは前記複数のコマンド信号の内の第１のコマンド信号に応答して前記第１のスイッチに第１の制御信号を生成し前記第１のコーデックを前記アナログインタフェース回路に選択的に結合しかつ前記第１のコーデックを前記第２のコーデックに結合し、それによって前記データ通信装置が前記第１のコーデックが前記アナログインタフェース回路に結合されたときアナログモデム動作モードで構築され、かつそれによって前記データ通信装置は前記第１のコーデックが前記第２のコーデックに結合されたときデジタルモデム動作モードで構築される、請求項１に記載のデータ通信装置。
【請求項６】
さらに、
前記プロセッサはさらに前記複数のコマンド信号の内の第２のコマンド信号に応答して前記コントローラへの第２の制御信号を生成し、それによって前記データ通信装置がターミナルアダプタモードで構築され前記プロセッサがデータを前記デジタルインタフェース回路を介して前記デジタル通信ネットワークに転送する、請求項５に記載のデータ通信装置。
【請求項７】
前記第１のコーデックはさらにリニアコーデックからなりかつ前記第２のコーデックはＰＣＭコーデックである、請求項６に記載のデータ通信装置。
【請求項８】
データ通信装置を、ターミナルアダプタ動作モード、デジタルモデム動作モードおよびアナログモデム動作モードを含む、複数の動作モードの内の少なくとも１つの動作モードで選択的に動作させる方法であって、前記データ通信装置はターミナルと、デジタル通信ネットワークおよびアナログ通信ネットワークを含む、複数の通信ネットワークの内の通信ネットワークの間でデータを転送するために前記ターミナルにおよび前記複数の通信ネットワークの内の前記通信ネットワークに接続可能であり、前記方法は、
（ａ）前記ターミナルからデータを受信して受信データを形成する段階、
（ｂ）前記少なくとも１つの動作モードを選択して選択動作モードを形成する段階、
（ｃ）前記選択動作モードが前記ターミナルアダプタ動作モードであるとき前記受信データをターミナルアダプタ形式のデータに変換しかつ該ターミナルアダプタ形式のデータを前記デジタル通信ネットワークへまたは前記デジタル通信ネットワークから転送する段階、
（ｄ）前記選択動作モードが前記モデム動作モードであるときまたは前記選択動作モードがデジタルモデム動作モードであるとき前記受信データを変調してアナログモデム信号を形成する段階、
（ｅ）前記選択動作モードが前記アナログモデム動作モードであるとき前記アナログモデム信号を前記アナログ通信ネットワークに導く段階、そして
（ｆ）前記選択動作モードが前記デジタルモデム動作モードであるとき前記アナログモデム信号をデジタル的に符号化しかつ該デジタル的に符号化されたアナログモデム信号を前記デジタル通信ネットワークに導く段階、
を具備する、データ通信装置を複数の動作モードの内の少なくとも１つの動作モードで選択的に動作させる方法。
【請求項９】
さらに、
（ｇ）アナログおよびデジタルシグナリング情報に応答する段階、
を具備する、請求項８に記載のデータ通信装置を動作させる方法。
【請求項１０】
前記段階（ｇ）はさらに、
（ｇ１）受信された所定のデジタルシグナリング情報からアナログシグナリング情報をシミュレートする段階、そして
（ｇ２）所定のアナログシグナリング情報から送信のためにデジタルシグナリング情報をシミュレートする段階、
を具備する、請求項９に記載のデータ通信装置を動作させる方法。
【発明の詳細な説明】
発明の分野
この出願は、それらに限定されるものではないが、アナログモデム、デジタルモデム、ターミナルアダプタ、および他のアナログまたはデジタルデータ通信装置を含むデータの送信および受信のためのデータ通信装置に関連する。
発明の背景
２つまたはそれ以上の別個のロケーションの間でデータおよび他の情報を転送することは今日の「情報時代」においてますます一般的に生じている。１９７０年代および１９８０年代の多くに至るまで、そのようなデータ転送の多くはデジタルデータをアナログキャリア信号に変調しかつ復調するアナログモデムを使用して行われていた。モデムは、一般に、電話線のような、アナログ伝送媒体を使用するデータ通信装置の一形式である。
モデムは低速、中速、および高速モデムに分類される。低速モデムはデータを３００ｂｐｓ（毎秒ビット）および１２００ｂｐｓの間のレートでデータを転送し、中速モデムは２４００〜４８００ｂｐｓの範囲のレートで動作し、かつ高速モデムは４８００ｂｐｓより大きなレートを有する。アナログモデムはデータを変調しかつその変調されたデータをアナログ信号として送信し、かつまたアナログ信号として変調されたデータを受信しかつその受信したデータを復調する。大部分のアナログモデムは変調されたデータをアナログインタフェース回路を介して公衆交換電話ネットワーク（“ＰＳＴＮ”）に結合された、１つのツイステッドペアのワイヤによってアナログ信号として受信しかつ送信する。現在、最も高速のアナログモデムはほぼ３０，０００ｂｐｓのデータ転送レートで動作し、これはいくらかの電気通信技術者は大部分のアナログ電話線による伝送レートの理論的限界に近いものと考えている。
しかしながら、種々のネットワークからデータファイルをダウンロードしかつ種々のネットワークに文書を送信するような、種々の望ましい用途は大部分のアナログ電話線によって現在実用可能な、経済的に実現できる、または入手可能なものより高い速度のデータ伝送を必要とするであろう。従って、数多くの電気通信提供者は、例えば、交換デジタルサービス（ｓｗｉｔｃｈｅｄ  ｄｉｇｉｔａｌ  ｓｅｒｖｉｃｅｓ）、Ｔ１サービス、Ｅ１サービス、および統合サービスデジタルネットワーク（“ＩＳＤＮ”）のような種々のデジタル伝送サービスを提供しかつ実施し始めている。多くの典型的なデジタル接続はデジタルインタフェース回路を介してデジタルネットワークに結合された、２つのそのような「ツイステッドペア」のワイヤを使用し、一方は送信のためでありかつ他方は受信のためである。典型的なＴ１接続は１．５４４Ｍｂｐｓ（毎秒メガビット）のデータレートを有し、これはさらに（アナログではなく）デジタル伝送チャネルへと時分割多重化（“ＴＤＭ”）される。Ｔ１接続は２４チャネルを備え、各チャネルは６４，０００ｂｐｓのデータレートを有しＤＳ０と称される。ＩＳＤＮシステムは典型的には（音声およびデータ伝送のための）２つの６４Ｋｂｐｓの“Ｂ”チャネルおよび（シグナリング情報および低速パケットデータのための）１つの１６Ｋｂｐｓの“Ｄ”チャネルを備えている。ＩＳＤＮ，Ｔ１およびＥ１サービスのための仕様および標準は、（Ｔ１，Ｅ１に対しては）勧告Ｇ、および（ＩＳＤＮに対しては）勧告Ｉのような、数多くのＣＣＩＴＴ勧告に記載されている。アナログおよびデジタル電機通信サービスの他の説明は、Ｒ．Ｆｒｅｅｍａｎ，Ｒｅｆｅｒｅｎｃｅ  Ｍａｎｕａｌ  ｆｏｒ  Ｔｅｌｅｃｏｍｍｕｎｉｃａｔｉｏｎ  Ｅｎｇｉｎｅｅｒｓ，Ｊｏｈｎ  Ｗｉｌｅｙ＆Ｓｏｎｓ，１９８５年、のような、広い範囲の文献に見ることができる。
デジタルモデムおよびターミナルアダプタは典型的にはそのようなデジタルラインによってデータを転送するために使用されてきた。デジタルモデムは典型的にはさらにアナログ信号をデジタルラインによって転送するために、パルス符号変調（“ＰＣＭ”）のようなデジタル符号化機構を使用して、モデムからの変調されたアナログ信号を符号化する。そのようなデジタルモデムは典型的にはデータを受信している他の（または遠隔の）モデムがアナログラインに接続されておりかつ、従って、デジタルラインによって通信される純粋にデジタル的なデータを受信できない場合に使用される。ターミナルアダプタは、アナログキャリア信号へのデータの介在する変調またはアナログキャリア信号のデジタルデータへの復調なしに、デジタルネットワークから直接デジタル的に符号化されたデータを送信しかつ受信するよう設計されたデータ通信装置の一形式である。
アナログモデム、デジタルモデム、およびターミナルアダプタのような、別個のデータ通信装置は近代の電気通信技術において入手可能でありかつ知られている。しかしながら、そのようなおのおのの装置は典型的には他のフォーマットまたはモードで使用する上で互換性がなく、それはデータ通信装置がデジタル又はアナログのいずれかとして進化してきており、両方のものでないためである。例えば、従来技術においては、アナログモデムはデジタルネットワークによってデータを伝送するために使用できない。これに応じて、従来技術では、デジタルモデムもターミナルアダプタもアナログ伝送ラインによってデータを伝送するために使用できない。
デジタルフォーマットへの近代の電気通信の遷移のため、現存するアナログモデムは結局、時代遅れのものであり、彼らのアナログ機器および他の技術におけるユーザによる投下資本の付随する損失を伴うものであるとみなされる。デジタルネットワークサービスが利用可能でありかつまた使用するのにコスト効率のよいものとなっている領域において、デジタルサービスに移行したユーザはそれでもなおアナログネットワークと通信する必要があり、かつ逆も同様である。例えば、多くの会社は内部通信のためにデジタルネットワークを採用することができるが、一方従業員がＰＳＴＮによって遠隔のロケーションからシステムにログインしかつ入ること（ｅｎｔｅｒ）ができるようにするのに外部通信のためのアナログサービスを必要とし続けるであろう。さらに、数多くの現在のアナログシステムのユーザはアナログ伝送装置を必要とし続けるが、現在のアナログおよび将来のデジタル伝送機構の双方と両立するデータ通信機器への投資によって将来のための計画を立てようと希望するかも知れない。
この両立性の問題に対する現在の解決方法は本質的に別個のアナログおよびデジタル装置を構築することであり、これらの装置は次に単一のハウジング内に導入される。例えば、モトローラ社は、ＨＭＴＡ２００型のような、ターミナルアダプタをデジタルモデム機能と組み合わせる、種々のハイブリッド装置を製造している。ユーエス・ロボティクス社（ＵＳ  Ｒｏｂｏｔｉｃｓ）のような、他の製造業者は単に別個にこれらの両立性のないデジタルおよびアナログ機能を行いかつ別個にデジタルまたはアナログインタフェースに接続する物理的に分離した「カード」を構築している。
しかしながら、前記アナログおよびデジタルの両立性の無さの問題に対する現在の解決方法は適切なものではなく、それはそのような現在の解決方法が単にそうしなければ別個の組のアナログおよびデジタルハードウエアを、しばしばマイクロプロセッサ、ＲＡＭおよびＲＯＭのような冗長なハードウエアと共に、アナログおよびデジタルインタフェースの双方を有する１つのパッケージに単に物理的に組み合わせたためである。従って、今まで別個の、独立したおよび両立性のない装置によって提供された、完全なアナログおよびデジタルデータ伝送サービスを提供する単一の統合されたデータ通信装置の必要性が生じている。
【図面の簡単な説明】
図１は、データ転送のためのアナログモデムの従来技術の使用方法を示すブロック図である。
図２は、アナログモデムへのデータ転送のためのデジタルモデムの従来技術の使用方法を示すブロック図である。
図３は、デジタルネットワーク内でのデータ転送のためのターミナルアダプタの従来技術の使用方法を示すブロック図である。
図４は、本発明の好ましい実施形態を示すブロック図である。
図５は、本発明の好ましい実施形態のプロセッサのデジタルスイッチング機構を示すブロック図である。
図６は、本発明の好ましい実施形態のプロセッサのデジタル多重化を示すブロック図である。
図７は、本発明の好ましい実施形態の方法を示すフローチャートである。
図８は、本発明の第２の実施形態を示すブロック図である。
図９は、本発明の第３の実施形態を示すブロック図である。
付属書類Ａは、本発明の好ましい実施形態のスイッチングおよびシミュレーションの観点の実施のためのソースコードプログラムを示す。
好ましい実施形態の説明
図１は、データ転送のためのアナログモデムの従来技術の使用方法を示すブロック図である。図１に示されるように、コンピュータのような、ローカルターミナル１００は送信ライン１５０および受信ライン１５１を介してローカルアナログモデム１０２に結合されている。そのような送信および受信ライン１５０および１５１は、例えば、コンピュータをモデムに結合するために一般に使用されるＲＳ２３２インタフェース（およびケーブル）の一部とすることができる。ローカルアナログモデム１０２はライン１１０を介してＰＳＴＮ１２６に結合されている。ライン１１０はアナログ信号を伝送する標準的な（ツイステッドペア）電話線とすることができる。これもまたコンピュータとすることができる、遠隔ターミナル１０６が送信ライン１６１および受信ライン１６０を介して遠隔アナログモデム１０４に結合されている。遠隔アナログモデム１０４はライン１２０を介してＰＳＴＮ１２６に結合されている。ライン１２０は、前記ライン１１０と同様に、標準的な電話線とすることができる。図１に示されるように、ローカルターミナル１００およびローカルアナログモデム１０２はＰＳＴＮ１２６によって、遠隔アナログモデム１０４を有する遠隔ターミナル１０６との間で、データ、情報および他の信号を転送するよう構成されている。情報およびコマンド信号を含む、データはターミナルおよびそれらのそれぞれのアナログモデムの間で種々のそれぞれの送信および受信ライン１５０，１５１，１６０および１６１を介して転送される。ターミナル１００からの情報はローカルアナログモデム１０２によって変調されかつさもなければ処理されてライン１１０を介してＰＳＴＮ１２６に送信されるアナログモデム信号を形成する。該アナログモデム信号は次にＰＳＴＮによってアナログ信号としてライン１２０を介して遠隔アナログモデム１０６に転送される。ＰＳＴＮ内では、前記アナログモデム信号はネットワーク内での送信のためにデジタル信号に変換され、かつアナログライン１１０および１２０による送信のためにアナログモデム信号に再び変換される。遠隔アナログモデム１０６は受信したアナログモデム信号を復調しかつ復調したデータをライン１６０によって遠隔ターミナルに送信する。遠隔アナログモデム１０６からの情報はまた反対のまたは逆の方向で動作する同じ方法を使用してローカルアナログモデム１０２へ送信することができる。
図２は、データ転送のためのデジタルモデムの従来技術の使用方法を示すブロック図である。図２に示されるように、コンピュータのような、ローカルターミナル１００は送信ライン２５０および受信ライン２５１を介してローカルデジタルモデム２２２へと結合されている。そのような送信および受信ライン２５０および２５１は、例えば、これもまた一般にコンピュータをデジタルモデムに結合するために使用される、アナログＲＳ２３２インタフェースに匹敵するデジタルモデムインタフェース（およびケーブル）の一部とすることができる。前記ローカルデジタルモデム２２２はデジタル送信ライン２６０およびデジタル受信ライン２６１を介してデジタルネットワーク２２８に結合され、該デジタルネットワーク２２８はさらにＰＳＴＮ１２６に結合されている。デジタル送信および受信ライン２６０および２６１は、デジタル信号を送信する、Ｔ１，Ｅ１またはＩＳＤＮラインのような、標準的なデジタルラインとすることができる。また、図２に示されるように、これもまたコンピュータとすることができる、遠隔ターミナル１０６は送信ライン１６１および受信ライン１６０を介して遠隔アナログモデム１０４に結合されている。図１と同様に、該遠隔アナログモデム１０４はライン１２０を介してＰＳＴＮ１２６に結合され該ライン１２０はまた標準的なアナログ電話線とすることができる。図２に示されるように、ローカルターミナル１００およびローカルデジタルモデム２２２はデータおよび他の情報および信号を、デジタルネットワーク２２８およびＰＳＴＮ１２６を介して、遠隔モデム１０４を有する遠隔ターミナル１０６との間で転送するよう構成される。遠隔およびコマンド信号を含むデータは前記ターミナルおよびそれらのそれぞれのモデムの間で種々の送信および受信ライン２５０，２５１，１６０および１６１を介して転送される。ローカルターミナル１００からの情報は始めにローカルデジタルモデム２２２によって処理されて変調されたアナログ信号を形成し、該変調されたアナログ信号は次にさらに符号化されて（例えば、ミュー−ロー（ｍｕ−ｌａｗ）またはＡ−ロー（Ａ−ｌａｗ）コンパンダを有するパルス符号変調（ＰＣＭ）機構を使用して）デジタルネットワーク２２８に送信されかつさらにＰＳＴＮ１２６に送信されるデジタル信号を形成する。ＰＳＴＮは前記デジタル信号を変調されたアナログ信号に再変換し、該変調されたアナログ信号は次にライン１２０によってアナログ信号としてＰＳＴＮによって遠隔モデム１０６に転送される。遠隔モデム１０６は受信した変調アナログ信号を復調しかつ該復調したデータをライン１６０によって遠隔ターミナルに送信する。遠隔モデム１０６からの情報はまた反対のまたは逆の方向で動作する同じ方法を使用してローカルデジタルモデム２２２へと送信することができる。
図３は、ローカルおよび遠隔デジタルネットワークによってデータを伝送するためのターミナルアダプタの従来技術の使用方法を示すブロック図である。図３に示されるように、コンピュータのようなローカルターミナル１００が送信ライン２５０および受信ライン２５１を介してローカルターミナルアダプタ２２３に結合されている。そのような送信および受信ライン２５０および２５１は、例えば、これもまた一般にコンピュータをターミナルアダプタに結合するために使用されている、アナログＲＳ２３２インタフェースに匹敵する、ターミナルアダプタインタフェース（およびケーブル）の一部とすることができる。ローカルターミナルアダプタ２２３はデジタル送信ライン２６０およびデジタル受信ライン２６１を介してデジタルネットワーク２２８に結合され、該デジタルネットワーク２２８はさらにＰＳＴＮ１２６に結合されている。図２の場合と同様に、デジタル送信および受信ライン２６０および２６１はデジタル信号を送信するＴ１，Ｅ１またはＩＳＤＮのような、標準的なデジタルラインとすることができる。図３に示されるように、これもまたコンピュータとすることができる、遠隔ターミナル１０６が送信ライン２６１および受信ライン２６０を介して遠隔ターミナルアダプタに結合されている。該ターミナルアダプタ２７２は送信ライン２７１および受信ライン２７０を介して遠隔デジタルネットワーク２６５に結合されている。ローカルデジタルネットワーク２２８はＰＳＴＮ１２６を介して前記遠隔デジタルネットワーク２６５に結合されている。図３に示されるように、ローカルターミナル１００およびローカルターミナルアダプタ２２３は、ＰＳＴＮ１２６を介して、それらのそれぞれのデジタルネットワーク２２８および２６５により、遠隔ターミナルアダプタ２７２を有する遠隔ターミナル１０６との間でデータおよび他の情報および信号を転送するよう構成されている。図３には示されていないが、ローカルおよび遠隔ターミナルアダプタもまたＰＳＴＮを介在させることなく同じデジタルネットワークに結合することができる。情報およびコマンド信号を含む、データは前記ターミナルおよびそれらのそれぞれのターミナルアダプタの間で種々の送信および受信ライン２５０，２５１，２６０および２６１を介して転送される。ローカルターミナルからの情報はフォーマットまたは処理されて、例えば、ＤＳＯフォーマットのデジタル信号のようなデジタル信号を形成し、この信号は次にデジタルネットワーク２２８に送信され、かつさらにＰＳＴＮ１２６に送信することができる。遠隔デジタルネットワーク２６５はＰＳＴＮ１２６からデジタル信号を受信し、かつ該デジタル信号を遠隔ターミナルアダプタ２７２に送信する。図３には示されていないが、前記遠隔ターミナルアダプタはまたデジタル信号をローカルデジタルネットワーク２２８から直接受信するよう構成できる。前記遠隔ターミナルアダプタは受信されたデジタル信号をデコードしかつ該デコードされたデータをライン２６０を介して遠隔ターミナルに送信する。遠隔ターミナル１０６からの情報はまた反対のまたは逆の方向で動作する同じ方法を使用してローカルターミナル１００に送信することができる。
図４は、本発明の好ましい実施形態を示すブロック図である。後により詳細に説明するように、好ましい実施形態に係わるデータ通信装置は複数のモードの内の任意の１つによって動作するようユーザによって選択的に構築することができ、すなわち、アナログモデムとして、デジタルモデムとして、あるいはターミナルアダプタとして動作するよう構築できる。さらに、第１の動作モードが選択された後、好ましい実施形態に係わるデータ通信装置は第２、第３またはさもなければ異なる動作モードで動作するようユーザによって再構築できる。図４に示されるように、データ通信装置３００は、アナログインタフェース回路３１４（これはまたデータアクセスアレンジメントまたは“ＤＡＡ”として知られている）を介してＰＳＴＮ１２６に結合されたとき、該ＰＳＴＮ１２６によってデータを送信しかつ受信するために、そして、デジタルインタフェース回路３１８を介してデジタルネットワーク２２８に結合されたとき、該デジタルネットワーク２２８によってデータを送信しかつ受信するために、ターミナル１００に結合可能である。ここで使用されている、「デジタルネットワーク」または「デジタル通信ネットワーク」はまた、ＩＳＤＮのようなデジタルネットワークに加えて、Ｔ１またはＥ１インタフェースを介する場合を含み、公衆交換ネットワークの中央局へのデジタル接続またはインタフェースを含むものである。データ通信装置３００のユーザはプロセッサ３７０に結合されたユーザインタフェース３０１を介して入力される複数のユーザコマンド信号によって、（アナログモデムとして、デジタルモデムとして、あるいはターミナルアダプタとしての）動作モードの種別を選択することができる。ユーザは始めにある特定の動作モードを選択し、かつその後その動作モードを変更または改訂することができる。例えば、ユーザは始めにデータ通信装置３００をＰＳＴＮ１２６のような第１の通信ネットワークに結合し、かつそれに応じて装置の動作モードが、ユーザインタフェース３０１を介して入力されるユーザコマンド信号により、アナログモデムとしてのものとなるよう選択することができる。その後、ユーザは該ユーザの設備に導入されたＴ１，ＩＳＤＮまたは他のデジタルネットワークインタフェースまたは能力のような、第２の通信ネットワークにアクセスする能力を持つことができる。ユーザは次にユーザインタフェース３０１を介して入力される（複数のユーザコマンド信号から）他のユーザコマンド信号によって、データ通信装置３００を再構築し、デジタルモデムとしての動作またはターミナルアダプタとしての動作のような、種々のデジタル動作モードで動作させることができる。
ユーザインタフェース３０１は数多くの種類の実施形態を有するものとすることができる。例えば、前記ユーザインタフェースは専用のパーソナルコンピュータとすることができかつ、その場合は、ターミナル１００内に導入することができる。他の実施形態では、前記データ通信装置３００はネットワークに結合された多くの装置の内の１つとすることができかつ、本明細書に参照のため導入される、１９９４年８月３日に出願された、「アドバンスド通信システムアーキテクチャ（Ａｄｖａｎｃｅｄ  Ｃｏｍｍｕｎｉｃａｔｉｏｎ  Ｓｙｓｔｅｍ  Ａｒｃｈｉｔｅｃｔｕｒｅ）」と題する、係属中の米国特許出願シリアル番号第０８／２８５，２６０号に詳細に説明された、システムマネージャを備えたモトローラのＤＡＳ９２５のような、総合システムコントローラを持つものとすることができる。この場合、ユーザインタフェース３０１は前記総合システムコントローラ内に導入することができ、該総合システムコントローラは導入されたＰＳＴＮまたはデジタルネットワークに適切に整合するためにデータ通信装置３００のすべてを所望の動作モードのために同時に構築するのに使用できる。
図４に示されるように、コントローラ３０４は送信データライン３０１および受信データライン３０２を介してターミナル１００に結合される。該送信および受信データライン３０１および３０２は任意の適切なインタフェースおよび接続構成の中に導入することができる。モトローラの６８３０２型マイクロコントローラとすることができる、コントローラ３０４はデータバス３０５を介してデータポンプ３０８に結合され、該データポンプ３０８はデータポンプとしてプログラムされたモトローラの５６００２型汎用デジタル信号プロセッサとすることができる。データポンプ３０８はコントローラ３０４からデータ、コマンド信号および他の情報を受信し、かつデータポンプ３０８は次にサンプルされたデータ信号を発生する。データポンプ３０８はまたバス３５０を介して第１のコーデック（「コーダ−デコーダ」）３１０に結合されている。コーダ−デコーダは通信分野では“ｃｏｄｅｃ”として知られておりかつそのように称されており、かつまた本明細書では「コーデック」と称する。第１のコーデック３１０は好ましくはリニアコーデックであり、かつ、典型的には毎秒９６００サンプルのサンプリングレートで、データポンプからサンプルされたデータ信号を受信し、かつ次に該サンプルされたデータ信号から変調されたアナログ信号を発生する。前記第１のまたはリニアコーデック３１０もまた知られておりかつアナログ−デジタル（Ａ／Ｄ）変換器およびデジタル−アナログ（Ｄ／Ａ）変換器として実施することができる。前記リニアコーデック３１０からの変調されたアナログ信号はラインまたはバス３５２を介して第１のスイッチ３１２に伝送される。好ましい実施形態では、第１のスイッチ３１２はアナログスイッチであり、かつ、固体（ｓｏｌｉｄ  ｓｔａｔｅ）または機械的リレー、あるいは個別のトランジスタまたは集積回路構成（例えば、ＣＭＯＳ，ＢＪＴ）のような、任意の多くの形式で実施することができる。第１のスイッチ３１２はまた、例えば、データバスのそれぞれの別個のデータ経路に対応するため複数のさもなければ別個のスイッチング機構を含むことができる。スイッチ３１２は、次に、ライン３２６を介して送られる制御信号に応じて、リニアコーデック３１０からの変調されたアナログ信号を、バス３５４を介して、図４にアナログインタフェース回路３１４として示された、第１のインタフェース回路に導くか、あるいは、バス３５６を介して、図４において好ましくはノンリニアＰＣＭ（パルス符号変調）コーデック３１６として示された、第２のコーデック３１６へと前記変調されたアナログ信号を導くことができる。
引き続き図４を参照すると、プロセッサ３７０はインテルの８０３２型のような、マイクロプロセッサおよびデジタルマルチプレクサ（“ＭＵＸ”）のような、デジタルスイッチング回路から構成されプログラム可能な分配型または分散型（ｄｉｓｔｒｉｂｕｔｅｄ）スイッチング機構を形成する。プロセッサ３７０はライン３２６を介して第１のスイッチ３１２へと制御信号を提供する。好ましい実施形態では、該制御信号は、ハイ電圧（論理“１”）およびロー電圧（論理“０”）のような、第１および第２の値を有する。スイッチ３１２は、ハイ電圧のような第１の値を有する制御信号に応答して、リニアコーデック３１０から変調されたアナログ信号をバス３５４を介して第１の（アナログ）インタフェース回路３１４へと伝送し、かつロー電圧のような、第２の値を有する制御信号に応答して、前記変調されたアナログ信号をバス３５６を介してノンリニアＰＣＭコーデック（または「ＰＣＭコーデック」）３１６へと伝送する。あるいは、２つの値を有する前記制御信号はまた２つの信号と考えることができ、かつ、その場合には、第１および第２の制御信号と考えることができる。アナログインタフェース回路３１４から、変調されたアナログ信号は次にライン１０６を介し図４においてＰＳＴＮ１２６として示された第１の通信ネットワークを通して伝送され、かつこのモードでは、前記データ通信装置３００はアナログモデムとして第１のモードで動作している。アナログインタフェース回路３１４のような第１のインタフェース回路はまた一般に、電力レベル設定、インピーダンス整合のような、種々の機能を提供しかつ２組のツイステッドペア伝送ラインから一対の伝送ラインへと情報を転送するハイブリッド回路を含むことができる。
プロセッサ３７０はさらにバス３５８を介して第２の（ＰＣＭ）コーデック３１６に、バス３６４を介してアナログインタフェース回路３１４に、バス３６６を介してコントローラ３０４に、かつバス３６２を介してデジタルインタフェース回路３１８に結合されている。ロー電圧のような、第２の値を有するプロセッサ３７０からの制御信号に応答して、スイッチ３１２は変調されたアナログ信号をＰＣＭコーデック３１６に伝送する。ＰＣＭコーデックはパルス符号変調機構を使用して変調されたアナログ信号をデジタル的に符号化しデジタルモデム信号を提供しかつ、この第２の動作モードにおいて、データ通信装置はデジタルモデムとして動作している。ＰＣＭコーデック３１６はデジタルモデム信号をプロセッサ３７０に伝送し、該プロセッサ３７０はバス３６２を介して、図４においてデジタルインタフェース回路３１８として示された、第２のインタフェース回路に対しデジタルモデム信号を導きまたは伝送する。該第２のまたはデジタルインタフェース回路３１８は、図４においてデジタルネットワーク２２８として示された、第２の通信ネットワークに結合可能であり、かつ第２の（デジタル）ネットワークを介して伝送するために該デジタルモデム信号を処理する。例えば、デジタルインタフェース回路は、ＤＳＯフォーマットを有する、デジタルモデム信号を適切なデジタルチャネルまたはタイムスロットに入れるために時分割マルチプレクサとして作用することができる。
プロセッサ３７０はまた、バス３６６を介して、種々のデータ信号および制御信号をコントローラ３０４から受信しかつ該コントローラ３０４に伝送する。データ通信装置３００がユーザインタフェースからの前記複数のユーザコマンドの内の１つによって決定される、ターミナルアダプタとして、第３の動作モードで動作可能であるべき場合は、プロセッサはプロセッサコマンド信号をバス３６６を介してコントローラに送信する。第３のまたはターミナルアダプタモードにおいては、コントローラはターミナルから受信したデジタル情報を処理してデジタル情報信号を形成し、かつ該デジタル情報信号をバス３６６を介してプロセッサ３７０に送信する。プロセッサ３７０は、次に、該デジタル情報信号をバス３６２を介してデジタルネットワーク２２８によって送信するためにデジタルインタフェース回路３１８に導きあるいは伝送する。デジタルインタフェース回路３１８はまた上に述べたデジタルモデム信号の処理と同様の方法で、デジタルネットワークによって送信するために前記デジタル情報信号を処理する。
図４に示される本発明の好ましい実施形態は情報送信に関して詳細に説明されたが、当業者には同様の分析は情報受信に関しても適用できることが理解されるであろう。したがって、そのようなデータまたは情報の送信および受信は一般にデータの双方向の流れを可能にするためにデータまたは情報転送と称される。
要するに、図４は、第１の動作モードおよび第２の動作モードを含む、複数の動作モードの内の少なくとも１つで選択的に動作可能なデータ通信装置を示し、該データ通信装置はターミナルにかつ複数の通信ネットワークの内の少なくとも１つに結合可能であり前記ターミナルおよび、第１の通信ネットワークおよび第２の通信ネットワークを含む、複数の通信ネットワークの内の１つの間でデータを転送し、前記データ通信装置は：コントローラ；該コントローラに結合されたデータポンプ；該データポンプに結合された第１のコーデック；第２のコーデック；前記第１の通信ネットワークに結合可能な第１のインタフェース回路；前記第２の通信ネットワークに結合可能な第２のインタフェース回路；前記第１のコーデック、前記第２のコーデックおよび前記第１のインタフェース回路に結合された第１のスイッチ；および前記コントローラに、前記第２のコーデックに、前記第１のインタフェース回路に、前記第２のインタフェース回路にかつ前記第１のスイッチに結合されたプロセッサを具備し、該プロセッサは複数のコマンド信号の内の少なくとも１つに応答して前記第１の通信ネットワークによる通信のために前記第１の動作モードで動作するためにおよび前記第２の通信ネットワークにより通信するために前記第２の動作モードで動作するために前記データ通信装置を選択的に構築する。前記種々の第１および第２のコーデックはリニアなものでもよくあるいはノンリニアなものでもよく、そして好ましい実施形態では、前記第１のコーデックはリニアコーデックでありかつ前記第２のコーデックは、ミュー−ローまたはＡ−ローコンパンダを有するノンリニアＰＣＭコーデックである。前記第１および第２の通信ネットワークはＰＳＴＮ，Ｔ１，Ｅ１，ＩＳＤＮまたは任意の他のアナログまたはデジタル通信ネットワークとすることができる。
したがって、図４はまたは前記第１の通信ネットワークが公衆交換電話ネットワークであり、前記第２の通信ネットワークがデジタル通信ネットワークであり、前記第１のインタフェース回路がアナログインタフェース回路であり、前記第２のインタフェース回路がデジタルインタフェース回路であり、かつ前記プロセッサが前記複数のコマンド信号の内の第１のコマンド信号に応答して前記第１のスイッチへの第１の制御信号を生成し前記第１のコーデックを前記アナログインタフェース回路に選択的に結合しかつ前記第１のコーデックを前記第２のコーデックに結合し、それによって前記データ通信装置が前記第１のコーデックがアナログインタフェース回路に結合されている場合にアナログモデム動作モードで構築され、かつ前記データ通信装置は前記第１のコーデックが前記第２のコーデックに結合されている場合にデジタルモデム動作モードで構築される、データ通信装置を示している。図４はさらに、前記プロセッサがさらに前記複数のコマンド信号の内の第２のコマンド信号に応答して前記コントローラへの第２の制御信号を生成しそれによって前記データ通信装置がターミナルアダプタモードで構築され前記プロセッサがデータを前記デジタルインタフェース回路を通り前記デジタル通信ネットワークへと転送するデータ通信装置を示している。また、図４に示されるように、前記データ通信装置はさらに前記プロセッサに結合されかつ前記複数のコマンド信号の内の少なくとも１つを入力するためにユーザインタフェースに結合可能な入力ポートを備えることができる。
図５は、本発明の好ましい実施形態に係わるプロセッサ３７０の分配または分散型スイッチング機構を示すブロック図である。この好ましい実施形態では、データ通信装置３００の典型的な「アナログモデムの面（ａｓｐｅｃｔｓ）」、すなわち、コントローラ３０４およびデータポンプ３０８、はそれによってデータ通信装置３００が通信しているネットワークの種別に関する何らかの別個の情報またはプログラミングをも必要としない。例えば、これらの「アナログモデムの面」は装置がＰＳＴＮに結合されるかまたはデジタルネットワークに結合されるかを認識しさもなければ「知る」ためにプログラムされる必要はない。好ましいこの実施形態では、図５に示されるように、これはプロセッサ３７０によって達成され、該プロセッサ３７０は分散型スイッチング回路３７６および分散型スイッチング機構を備えたデジタルマルチプレクサ３７５を含み、それによって（バス３６２およびバス３６４を介して）ネットワークに送信されかつネットワークから送信される所定のシグナリングおよび通知情報はコントローラ３０４へおよびから伝送されるか（スイッチドスルー：ｓｗｉｔｃｈｅｄ  ｔｈｒｏｕｇｈ）、あるいはプロセッサ３７０によってシミュレートされ、そしてシミュレートされたシグナリング情報は次にコントローラ３０４へおよびから伝送される（スイッチドスルー）。前記所定のシグナリング情報（または複数の情報信号）は典型的には、アナログモードに対しては、ライン３８０を介するコントローラへのリング信号、ライン３８１を介するコントローラへのライン電流、ライン３８２を介するコントローラからのオフフック信号、そしてライン３８３を介してのコントローラからのループビット（またループ信号）を含み、かつ、デジタルモードに対しては、バス３６２上のＡおよびＢシグナリングビットのようなシグナリングビット（および、他のフォーマットに対しては、ＣおよびＤシグナリングビットも）を含む。前記オフフックおよびリング信号はまた通知信号（ｎｏｔｉｆｉｃａｔｉｏｎ  ｓｉｇｎａｌｓ）として知られておりかつ、本明細書で使用されているように、他の信号と共に集合的にシグナリング情報または情報信号と称される。ライン３８０，３８１，３８２および３８３はまたコントローラ３０４およびプロセッサ３７０を結合するバス３６６の一部とすることができ、かつ図５においては（および図６においては）参照を容易にする目的でのみ別個のラインとして示されている。
図６は、プロセッサ３７０のデジタルマルチプレクサ（“ＭＵＸ”）３７５をより詳細に示すブロック図である。マルチプレクサ３７５はプロセッサ３７０の他の部分からライン３９２によってＭＵＸ制御信号により制御され、前に述べた複数のユーザコマンド信号によって構成される。図６に示されるように、ライン３８０上のリング信号はライン３８４によりアナログインタフェース回路３１４から直接伝送されあるいは、デジタルインタフェース回路３１８からの対応するまたは等価なデジタルシグナリング情報に応じて、プロセッサによりシミュレートされかつライン３８５によって伝送される。ライン３８１上のライン電流もまたライン３８６によってアナログインタフェース回路３１４から直接伝送されあるいはプロセッサによってシミュレートされかつライン３８７によって伝送され、これもまたデジタルインタフェース回路３１８からの対応するデジタルシグナリング情報に応じて行なわれる。ライン３８２上の（呼を開始しまたは入力するための）コントローラからのオフフック信号はライン３８８により直接アナログインタフェース回路３１４に伝送されあるいは（適切なシグナリングビットを発生する）プロセッサによりシミュレートされ、かつライン３８７によってデジタルインタフェース回路３１８に伝送される。同様に、ライン３８３上の（診断または「トレーニング」の目的のための）コントローラからのループビットも直接ライン３９０によってアナログインタフェース回路３１４に伝送されあるいはライン３９１によって（ループビットに基づき適切なソフトウェアループを達成する）プロセッサの他の部分へと伝送される。ＡおよびＢシグナリングビットのような、デジタルインタフェースシグナリングビットは、「ループ（ＬＯＯＰ）」、「グランド（ＧＲＯＵＮＤ）」、「トランク（ＴＲＵＮＫ）」、「ウインクを伴うトランク（ＴＲＵＮＫ  ｗｉｔｈ  ＷＩＮＫ）」、「フィーチャグループＢ（ＦＥＡＴＵＲＥ  ＧＲＯＵＰ  Ｂ）」、および「フィーチャグループＤ（ＦＥＡＴＵＲＥ  ＧＲＯＵＰ  Ｄ）」のような、特定のネットワークにおいて使用される実際のシグナリング機構に応じて変わり得る。これらの種々のモードは前記ユーザインタフェース３０１を介して入力される複数のユーザコマンド信号によって選択可能（またはプログラム可能）である。
要するに、図５および図６はさらに、デジタルネットワークからのデジタルシグナリング情報に応じて、プロセッサが対応するシミュレートされたアナログシグナリング情報をコントローラに提供し、かつ、コントローラからのアナログシグナリング情報に応じて、プロセッサが対応するシミュレートされたデジタルシグナリング情報をデジタルネットワークに提供する、データ通信装置をさらに示している。さらに、前記アナログシグナリング情報はリング信号、ライン電流、オフフック、およびループビットから構成することができ、かつ前記デジタルシグナリング情報はＡおよびＢビットを含むことができる。
図７は、本発明の好ましい実施形態に係わるマルチ構成およびデータ転送方法を示すソフトウェア流れ図である。この方法はステップ７００でスタートし、かつターミナルはデータを、ステップ７１０において、コントローラに送る。プロセッサは、ステップ７２０において、アナログモデムまたはデジタルモデムの接続が要求されているか否かを判定する。もしモデム接続が要求されていなければ、データ通信装置はターミナルアダプタモードに進みかつターミナル１０からのデータを、ステップ７９０において、ターミナルアダプタモード形式に変換する。データ通信装置３００は次に、ステップ７９２において、デジタルネットワークへの接続を確立しかつ、ステップ７９４において、デジタルネットワークによってデータを遠隔のターミナルアダプタへと（かつ遠隔のターミナルアダプタから）伝送する。
図７を参照し続けると、ステップ７２０において、もしモデム接続が要求されていれば、ターミナルからのデータは、ステップ７３０において、サンプルされたアナログ信号に変換されかつ該サンプルされたアナログ信号は、ステップ７４０において、アナログモデム信号に変換される。プロセッサは次に、ステップ７５０において、ＰＳＴＮ接続が要求されているか否かを判定する。もしＰＳＴＮ接続が要求されていれば、ステップ７６０において、ＰＳＴＮを介して遠隔のモデムと接続が確立されかつ、ステップ７６２において、アナログモデム信号が遠隔のモデムへ送信（または遠隔のモデムから受信）される。もしステップ７５０においてＰＳＴＮ接続が要求されていなければ、アナログモデム信号は、ステップ７７０においてデジタルモデム信号に変換される。データ通信装置は次に、ステップ７７２において、デジタルネットワークによって遠隔のモデムへの接続を確立しかつ、ステップ７７４において、デジタルネットワークおよびＰＳＴＮを介して遠隔のモデムへおよび遠隔のモデムからデータを転送する。
要するに、図７はデータ通信装置を、第１の動作モードおよび第２の動作モードを含む、複数の動作モードの内の少なくとも１つで選択的に動作させる方法を示し、前記データ通信装置はターミナルおよび、デジタル通信ネットワークおよびアナログ通信ネットワークを含む、複数の通信ネットワークの内の１つの間でデータを転送するために前記ターミナルにかつ複数の通信ネットワークの内の少なくとも１つに接続可能であり、前記方法は、（ａ）前記ターミナルからデータを受信する段階、（ｂ）複数のユーザコマンド信号の内の少なくとも１つを入力する段階をさらに含むことができる、動作モードを選択する段階、（ｃ）ターミナルアダプタ動作モードが選択されている場合に受信データをターミナルアダプタ形式に変換しかつ該ターミナルアダプタ形式のデータをデジタルネットワークへまたはデジタルネットワークから転送する段階、（ｄ）モデム動作モードが選択されている場合に前記受信データを変調してアナログモデム信号を形成する段階、（ｅ）アナログモデム動作モードが選択されている場合に前記アナログモデム信号をアナログネットワークに導く段階、そして（ｆ）デジタルモデム動作モードが選択されている場合に前記アナログモデム信号をデジタル的に符号化しかつ該デジタル的に符号化したアナログモデム信号をデジタルネットワークに導く段階を具備している。上記段階（ｅ）および（ｆ）はまたさらに、選択的にアナログ通信ネットワークまたはデジタル通信ネットワークに結合するために制御信号を提供する段階を具備する。
さらに、図４〜図７に示されるように、本発明のデータ通信装置を動作させる方法はさらに、（ｇ）アナログおよびデジタルシグナリング情報に応答する段階を具備する。この段階は、さらに、（ｇ１）受信された所定のデジタルシグナリング情報からアナログシグナリング情報をシミュレートする段階、そして（ｇ２）所定のアナログシグナリング情報から送信のためにデジタルシグナリング情報をシミュレートする段階を含む。
図８は、本発明の第２の実施形態を示すブロック図である。図８に示されるように、ターミナル１００は送信ライン１５０および受信ライン１５１を介してデータ通信装置４００に接続可能である。これらの送信および受信ライン１５０および１５１はアナログモデム４２０に結合されており、該アナログモデム４２０はバス４２２を介してアナログモデム信号を送信しかつ受信する。バス４２２はスイッチ４１２に結合されている。ライン４１５を介しての制御信号に応じて、スイッチ４１２は前記アナログモデム信号をＰＳＴＮ１２６によって送信するためにバス４１４を介してアナログインタフェース回路３１４に導くことができる。また、ライン４１５を介しての制御信号に応じて、スイッチ４１２はアナログモデム信号をバス４１６を介してＰＣＭコーデック４０８に導くことができる。ＰＣＭコーデック４０８はアナログモデム信号を、デジタルネットワーク２２８を介しての送信のために、バス４１８を介してデジタルインタフェース回路３１８に送信されるデジタルモデム信号に変換する。
要するに、図８はアナログモデムモードでかつデジタルモデムモードで選択的に動作可能なデータ通信装置を示し、該データ通信装置はターミナルに接続可能であり、かつ公衆交換電話ネットワークにまたはデジタル通信ネットワークに接続可能であり、前記データ通信装置は、前記ターミナルに接続可能なアナログモデム、ＰＣＭコーデック、公衆交換電話ネットワークに接続可能なアナログインタフェース回路、ＰＣＭコーデックに接続されかつデジタル通信ネットワークに接続可能なデジタルインタフェース回路、そして前記アナログモデムに、前記ＰＣＭコーデックにかつ前記アナログインタフェース回路に接続されたスイッチを具備し、該スイッチは制御信号に応答してアナログモデムをアナログインタフェース回路に選択的に結合しかつアナログモデムをＰＣＭコーデックに結合し、それによって前記アナログモデムが前記アナログインタフェース回路に結合されたとき前記データ通信装置はアナログモデムモードで動作可能であり、かつそれによって前記アナログモデムが前記ＰＣＭコーデックに結合されたとき前記通信装置はデジタルモデムモードで動作可能になる。
図９は、本発明の第３の実施形態を示すブロック図である。ターミナル１００は、送信および受信ライン１５０および１５１を介して、データ通信装置５００に接続可能である。送信および受信ライン１５０および１５１はコントローラ５０４に結合されている。コントローラ５０４はバス５０５を介してデータポンプ５０８に結合され、かつバス５６０を介してデジタルインタフェース回路５１８に結合されている。データポンプ５０８は、本明細書に参照のため導入される、「モデム−チャネルバンク変換器（Ｍｏｄｅｍ−Ｃｈａｎｎｅｌ  Ｂａｎｋ  Ｃｏｎｖｅｒｔｅｒ）」と題する、１９９４年１１月１５日発行の米国特許第５，３６５，５４５号に述べられかつ特許請求された、ＰＣＭコーデック補間器（ＰＣＭ  ｃｏｄｅｃ  ｉｎｔｅｒｐｏｌａｔｏｒ）を含む。とりわけ、前記ＰＣＭコーデック補間器は、毎秒９６００サンプルのレートでサンプルされた、サンプルアナログデータを、毎秒８０００サンプルのレートでサンプルされた、サンプルデジタルデータに変換することができる。ターミナル１００からコントローラ５０４を介して送信され、コントローラ５０４によって発生されあるいはコントローラ５０４によって提供される、制御信号に応答して、データポンプ５０６はバス５１０を介してリニアコーデック５１２に送信されるサンプルされたアナログデータ信号を発生し、またはバス５５８を介してデジタルインタフェース回路５１８に送信されるデジタルモデム信号を発生することができる。リニアコーデック５１２は前記サンプルされたアナログデータ信号をアナログモデム信号に変換し、該アナログモデム信号は次にＰＳＴＮによって送信するためにアナログインタフェース回路５１４に送られる。前記デジタルインタフェース回路５１８はデジタルネットワークによる送信のために前記モデム信号を処理する。
要するに、図９は、アナログモデムとして、デジタルモデムとして、およびターミナルアダプタとして選択的に動作可能であり、公衆交換電話ネットワークにかつデジタル通信ネットワークに接続可能なデータ通信装置を示し、該データ通信装置は、ＰＣＭコーデック補間器を有するデータポンプ、該データポンプに結合されたリニアコーデック、該リニアコーデックに結合され、かつ公衆交換電話ネットワークに接続可能なアナログインタフェース回路、前記デジタル通信ネットワークに接続可能なデジタルインタフェース回路、前記データポンプにかつ前記デジタルインタフェース回路に結合されたコントローラを具備し、該コントローラは第１の制御信号を選択的に前記データポンプに提供して前記データポンプをアナログモードで選択的に動作させかつ前記リニアコーデックおよび前記アナログインタフェース回路を結合し、前記コントローラはさらに選択的に第２の制御信号を前記データポンプに提供して前記データポンプをデジタルモードで選択的に動作させかつ前記デジタルインタフェース回路と結合し、それによって前記データ通信装置は前記データポンプがアナログモードにあるときアナログモデムとして動作し、それによって前記データ通信装置は前記データポンプがデジタルモードにあるときデジタルモデムとして動作可能であり、かつそれによって前記データ通信装置は前記データポンプがアナログモードにあるいはデジタルモードにないときターミナルアダプタとして動作可能である。
上に述べた本発明の種々の実施形態から明らかなように、ここに開示されたデータ通信装置は単一の統合された装置を構成し、該装置は、アナログモデムとして、デジタルモデムとして、およびターミナルアダプタとしての動作のような、種々のモードで動作するよう構築しかつ再構築することができ、かつさらにさもなければ両立性がない種々形式のアナログおよびデジタルネットワークによってデータを通信することができる。前に述べたように、従来技術ではこれらの種々のネットワークによってデータ通信を行なうために本質的に別個のおよび独立した装置あるいは他のハードウェアを必要とした。
本発明の新規なデータ通信装置はユーザの要求のあり得る変化に合致するために変更可能な、再構築可能な、あるいは「アップグレード可能な」最初の装置である。さらに、前記データ通信装置は何らかのハードウェアの変換、付加、または代用なしに異なる動作モードへと変換しあるいは再構築することができ、さらに付加的な利点を与える。第１に、前記データ通信装置は、それ自身のネットワーク能力を持つことができる、ユーザインタフェースを介して、遠隔的に構築しまたは再構築することができる。したがって、導入者または他のサービス職人が遠隔のロケーションから、例えば、その国に渡り位置する製造設備からデータ通信装置を構築しおよび／または再構築することができる。
第２に、前記データ通信装置のハードウェアは、データ通信機器におけるユーザの現在の投資がネットワークの変更にもかかわらず保たれるように、変更しかつアップグレードすることができる。例えば、ユーザの現在の要求がデータのネットワーキングのためにＰＳＴＮを引き続き使用することを示しているかもしれない。本発明のデータ通信装置はユーザが現在そのデータ通信機器をＰＳＴＮを介して接続できるようにし、この場合一方では同時に同じハードウェアによってデジタルネットワークへの将来の接続を可能にし、将来のアップグレードの可能性を提供する一方でユーザの現在の機器の投資を保つことができる。本発明に係わるこのアップグレード可能なデータ通信装置がデジタルまたはアナログネットワークシステムにおいて使用されるとき、今まで得られなかったアナログネットワークとデジタルネットワークとの間のたやすい遷移を行なうことが可能になる。
第３に、ここに開示されたデータ通信装置は３つの別個の装置を１つの統合された完全に機能する装置へと結合することができるから、ここに開示されたデータ通信装置は、より少ない装置を使用するため、電力の節約を可能にしかつしたがって、任意の時間に給電される必要がある装置の数を低減する。さらに、ここに開示された単一の、統合されたデータ通信装置は今まで３つの別個の装置で行なっていた機能を行なうから、本発明のデータ通信装置はネットワーク導入に要求される装置の数を大幅に低減しかつネットワーク設備のハウジングおよび他のスペースの要求を大幅に低減することができる。
以上から、本発明の新規な概念の精神および範囲から離れることなく数多くの変更および修正を行なうことが可能なことが分かるであろう。ここに示された特定の方法および装置に関しては、何らの制限をも意図したものではなく制限と考えられるべきでないことが理解されるべきである。もちろん、添付の特許請求の範囲により該特許請求の範囲内に入るすべてのそのような変更をカバーすることを意図している。本発明はさらに添付の特許請求の範囲によって明確化される。
【図１】
0003706631.tif 000002
【図２】
0003706631.tif 000003
【図３】
0003706631.tif 000004
【図４】
0003706631.tif 000005
【図５】
0003706631.tif 000006
【図６】
0003706631.tif 000007
【図７】
0003706631.tif 000008
【図８】
0003706631.tif 000009
【図９】
0003706631.tif 000010